(57)【要約】【課題】簡素な構成を有し船舶から排出された脱硫装置の排水のｐＨを速やかに適正値に到達させることができる船舶用脱硫装置の排水システムを提供する。【解決手段】船舶に搭載される排ガス発生装置から排出される排ガスを脱硫するための船舶用脱硫装置の排水システムであって、脱硫塔と、船舶の喫水線よりも上方に位置し、且つ、脱硫塔の液だまり部に貯留される洗浄液を含む液体が排水として流入する流入口、及び、喫水線よりも下方に位置し、且つ、流入口から流入した排水を船舶の外部に排出する排水ノズルと、を有する排水ラインを備え、排水ラインは、排水ラインの内部における喫水線より上方の位置まで排水が溜まった状態において、排水ラインの内部における排水の液面位置から排水ノズルに亘って設けられた大気開放されていない区間を含む。【選択図】  図１
2018161611.tif 000002
【特許請求の範囲】
【請求項１】
船舶に搭載される排ガス発生装置から排出される排ガスを脱硫するための船舶用脱硫装置の排水システムであって、
内部に導入される前記排ガスに洗浄液を噴霧することで、前記排ガスと前記洗浄液とを気液接触させる気液接触部、及び、前記気液接触部よりも下方に位置し、前記排ガスに噴霧された前記洗浄液を含む液体が貯留される液だまり部、を内部に画定する脱硫塔と、
前記船舶の喫水線よりも上方に位置し、且つ、前記液だまり部に貯留される前記液体が排水として流入する流入口、及び、前記喫水線よりも下方に位置し、且つ、前記流入口から流入した前記排水を前記船舶の外部に排出する排水ノズルと、を有する排水ラインを備え、
前記排水ラインは、前記排水ラインの内部における前記喫水線より上方の位置まで前記排水が溜まった状態において、前記排水ラインの内部における前記排水の液面位置から前記排水ノズルに亘って設けられた大気開放されていない区間を含む、船舶用脱硫装置の排水システム。
【請求項２】
前記排水ラインに希釈水を供給するための希釈水供給装置であって、
前記排水ラインと接続する希釈水ラインと、
前記希釈水ラインを流れる前記希釈水を排水ラインに供給するための希釈水ポンプと、
を含む希釈水供給装置をさらに備える、請求項１に記載の船舶用脱硫装置の排水システム。
【請求項３】
前記排水ラインにおける前記液面位置を測定するための液面計と、
前記希釈水供給装置から前記排水ラインに供給される前記希釈水の流量を調整する希釈水調整手段と、
前記液面計で測定された前記液面位置に基づいて、前記希釈水調整手段を制御する希釈水量調整コントローラと、をさらに備える、請求項２に記載の船舶用脱硫装置の排水システム。
【請求項４】
前記排水ラインの内部における排水のｐＨを測定するためのｐＨ計と、
前記希釈水供給装置から前記排水ラインに供給される前記希釈水の流量を調整する希釈水調整手段と、
前記ｐＨ計で測定された前記排水のｐＨに基づいて、前記希釈水調整手段を制御する希釈水量調整コントローラと、をさらに備える、請求項２又は３に記載の船舶用脱硫装置の排水システム。
【請求項５】
前記排水ラインには、前記希釈水ラインとの接続箇所よりも下流側に、前記流入口から流入した排水と前記希釈水との混合を促進するための混合促進部が設けられる、請求項２乃至４の何れか１項に記載の船舶用脱硫装置の排水システム。
【請求項６】
前記排水ラインは、
一端部および他端部の間に落差を有する落差管と、
前記落差管から分岐するとともに鉛直方向と交差する方向に沿って延在する複数の枝管と、
を含む、請求項１乃至５の何れか１項に記載の船舶用脱硫装置の排水システム。
【請求項７】
前記排水ラインにおける前記喫水線よりも上方の位置と、前記船舶の外部とを接続する溢流管をさらに備える、請求項１乃至６の何れか１項に記載の船舶用脱硫装置の排水システム。
【請求項８】
前記排水ラインには、前記喫水線の高さ位置よりも上方に逆止弁が設けられる、請求項１乃至７の何れか１項に記載の船舶用脱硫装置の排水システム。
【請求項９】
前記排水ノズルは、
前記排水を噴射するノズル部と、
前記ノズル部によって噴射された排水と、前記ノズル部の周囲から吸引された前記船舶の周囲の水とを混合して排出するディフューザ部と、
を含むエゼクタノズルからなる、請求項１乃至８の何れか１項に記載の船舶用脱硫装置の排水システム。
【請求項１０】
前記排水ラインはヘッダを含み、前記ヘッダには、複数の前記排水ノズルが設けられる、請求項１乃至９の何れか１項に記載の船舶用脱硫装置の排水システム。
【発明の詳細な説明】
【技術分野】
【０００１】
本開示は、船舶用脱硫装置の排水システムに関する。
【背景技術】
【０００２】
近年、ＩＭＯ（国際海事機関）新規排ガス及び排水規制の適用により、船舶に設けられた脱硫装置の排水に対してｐＨ規制が適用されることとなった。現時点においては、船外から４ｍ離れた地点におけるｐＨ値を６．５以上にする事という条件が課されている。
【０００３】
特許文献１には、船舶に脱硫装置を搭載し、脱酸処理済みの排出規制に適する海水の総排水管に節水脱酸器を接続する旨が記載されている。
【先行技術文献】
【特許文献】
【０００４】
【特許文献１】特表２０１１‐５２４８００号公報
【発明の概要】
【発明が解決しようとする課題】
【０００５】
特許文献１に記載の脱硫装置の排水システムでは、船舶内の節水脱酸器にて排水のｐＨを調整して排出規制に対応しているが、船舶外での海水との希釈混合を考慮しておらず、ｐＨ調整のために必要な設備機器構成が複雑である。
【０００６】
本発明の少なくとも一実施形態は、上述したような従来の課題に鑑みなされたものであって、その目的とするところは、簡素な構成を有し船舶から排出された脱硫装置の排水のｐＨを速やかに適正値に到達させることができる船舶用脱硫装置の排水システムを提供することである。
【課題を解決するための手段】
【０００７】
（１）本発明の少なくとも一実施形態に係る船舶用脱硫装置の排水システムは、船舶に搭載される排ガス発生装置から排出される排ガスを脱硫するための船舶用脱硫装置の排水システムであって、当該船舶用海水脱硫装置の内部に導入される前記排ガスに洗浄液を噴霧することで、前記排ガスと前記洗浄液とを気液接触させる気液接触部、及び、前記気液接触部よりも下方に位置し、前記排ガスに噴霧された前記洗浄液を含む液体が貯留される液だまり部、を内部に画定する脱硫塔と、前記船舶の喫水線よりも上方に位置し、且つ、前記液だまり部に貯留される前記液体が排水として流入する流入口、及び、前記喫水線よりも下方に位置し、且つ、前記流入口から流入した前記排水を前記船舶の外部に排出する排水ノズルと、を有する排水ラインを備え、前記排水ラインは、前記排水ラインの内部における前記喫水線より上方の位置まで前記排水が溜まった状態において、前記排水ラインの内部における前記排水の液面位置から前記排水ノズルに亘って設けられた大気開放されていない区間を含む。
【０００８】
上記（１）に記載の船舶用脱硫装置の排水システムによれば、排水ラインの内部に溜まった排水の液面位置と喫水線の高さ位置との高低差及び重力を利用して、排水ラインにおける排水の水頭圧によって排水を排水ノズルに供給することができる。これにより、排水ノズルから排出される排水と船舶の周囲の水（例えば海水、湖水又は河川水等）とを効果的に混合することができる。したがって、排水システムの構成を簡素化しつつ、船舶から排出される脱硫装置の排水のｐＨを速やかに適正値に到達させることができる。
【０００９】
（２）幾つかの実施形態では、上記（１）に記載の船舶用脱硫装置の排水システムにおいて、前記排水ラインに希釈水を供給するための希釈水供給装置であって、前記排水ラインと接続する希釈水ラインと、前記希釈水ラインを流れる前記希釈水を排水ラインに供給するための希釈水ポンプと、を含む希釈水供給装置をさらに備える。
【００１０】
上記（２）に記載の船舶用脱硫装置の排水システムによれば、排水ラインの水頭圧が低い場合（脱硫塔から排水ラインの流入口に流入する排水の流量が少ない場合）や、脱硫塔から排水ラインの流入口に流入する排水のｐＨが極端に低い場合等に、希釈水ラインから排水ラインに希釈水を供給して排水ラインの排水を希釈し、船舶から排出される脱硫装置の排水のｐＨを適正化することができる。尚、排水ノズルから脱硫排水を排出する際、上記排水の計測ｐＨに基づき当該脱硫排水が海中で十分に混合され船舶から所定距離離れた地点のｐＨ規制値を満足出来る事が予め判っている場合（脱硫排水原水のＰＨが高い場合乃船外殻排水部から前記所定ｐＨ規制位置までの水中混合性能が優れる場合）に、希釈排水は不要となる場合もある。
【００１１】
（３）幾つかの実施形態では、上記（２）に記載の船舶用脱硫装置の排水システムにおいて、前記排水ラインにおける前記液面位置を測定するための液面計と、前記希釈水供給装置から前記排水ラインに供給される前記希釈水の流量を調整する希釈水調整手段と、前記液面計で測定された前記液面位置に基づいて、前記希釈水調整手段を制御する希釈水量調整コントローラと、をさらに備える。
【００１２】
上記（３）に記載の船舶用脱硫装置の排水システムによれば、液面計によって測定された排水ラインの内部における排水の液面位置に応じて希釈水供給装置から排水ラインに供給される希釈水の流量を適切に制御することができる。これにより、船舶から排出される脱硫装置の排水のｐＨを速やかに適正値に到達させることができる。また、排水ノズルから排出される排水のｐＨを適正化（船舶から所定距離離れた地点のｐＨ規制値を満足）するために使用する希釈水の過不足を抑制することができるため、希釈水ポンプの動力の増大を抑制しつつ排水ノズルから排出される排水のｐＨを適正化することができる。
【００１３】
（４）幾つかの実施形態では、上記（２）又は（３）に記載の船舶用脱硫装置の排水システムにおいて、前記排水ラインの内部における排水のｐＨを測定するためのｐＨ計と、前記希釈水供給装置から前記排水ラインに供給される前記希釈水の流量を調整する希釈水調整手段と、前記ｐＨ計で測定された前記排水のｐＨに基づいて、前記希釈水調整手段を制御する希釈水量調整コントローラと、をさらに備える。尚、排水ノズルから脱硫排水を排出する際、上記排水の計測ｐＨに基づき当該脱硫排水が海中で十分に混合され船外から４ｍ離れた地点のｐＨを６．５以上に出来る事が判っている場合（脱硫排水原水のｐＨが高い場合又は排水ノズルの海中混合性能が優れる場合）に、希釈排水は不要となる場合もある。
【００１４】
上記（４）に記載の船舶用脱硫装置の排水システムによれば、希釈水供給装置によって排水ラインに供給する希釈水の量をｐＨ計によって測定した排水ラインの排水のｐＨに基づいて制御することができる。このため、排水ノズルから排出される排水のｐＨを適正化（船舶から所定距離離れた地点のｐＨ規制値を満足）するために使用する希釈水の過不足を抑制することができる。したがって、希釈水ポンプの動力の増大を抑制しつつ排水ノズルから排出される排水のｐＨを適正化することができる。
【００１５】
（５）幾つかの実施形態では、上記（２）乃至（４）の何れかに記載の船舶用脱硫装置の排水システムにおいて、前記排水ラインには、前記希釈水ラインとの接続箇所よりも下流側に、前記流入口から流入した排水と前記希釈水との混合を促進するための混合促進部が設けられる。
【００１６】
上記（５）に記載の船舶用脱硫装置の排水システムによれば、排水ラインにおける流入口から流入した排水と希釈水ラインから供給された希釈水との混合を混合促進部によって促進し、船舶から排出される脱硫装置の排水のｐＨを速やかに適正化（船舶から所定距離離れた地点のｐＨ規制値を満足）することができる。
【００１７】
（６）幾つかの実施形態では、上記（１）乃至（５）の何れかに記載の船舶用脱硫装置の排水システムにおいて、前記排水ラインは、一端部および他端部の間に落差を有する落差管と、前記落差管から分岐するとともに鉛直方向と交差する方向に沿って延在する複数の枝管と、を含む。
【００１８】
上記（６）に記載の船舶用脱硫装置の排水システムによれば、枝管を設けて排水ノズルの位置を適切に分散させることにより、船舶が傾斜しても適正に排水することができる。
【００１９】
（７）幾つかの実施形態では、上記（１）乃至（６）の何れかに記載の船舶用脱硫装置の排水システムにおいて、前記排水ラインにおける前記喫水線よりも上方の位置と、前記船舶の外部とを接続する溢流管をさらに備える。
【００２０】
上記（７）に記載の船舶用脱硫装置の排水システムによれば、排水ラインの内部における排水の液面位置が上昇しても溢流管から船舶の外部に排水を排出することができるため、排水ラインから脱硫塔への排水の逆流を抑制することができる。なお、当該逆流防止用の溢流管の出口部は喫水線より下に設置するのが好ましい。
【００２１】
（８）幾つかの実施形態では、上記（１）乃至（７）の何れかに記載の船舶用脱硫装置の排水システムにおいて、前記排水ラインには、前記喫水線の高さ位置よりも上方に逆止弁が設けられる。
【００２２】
上記（８）に記載の船舶用脱硫装置の排水システムによれば、排水ラインの液面が上昇しても、脱硫塔への排水の逆流を逆止弁によって抑制することができる。また、上記（８）に記載の船舶用脱硫装置の排水システムにおいて上記（７）に記載の溢流管が設けられている場合には、脱硫塔への排水の逆流を逆止弁によって抑制しつつ排水を溢流管に流して船舶の外部に排出することができる。
【００２３】
（９）幾つかの実施形態では、上記（１）乃至（８）の何れかに記載の船舶用脱硫装置の排水システムにおいて、前記排水ノズルは、前記排水を噴射するノズル部と、前記ノズル部によって噴射された排水と、前記ノズル部の周囲から吸引された前記船舶の周囲の水とを混合して排出するディフューザ部と、を含むエゼクタノズルからなる。
【００２４】
上記（９）に記載の船舶用脱硫装置の排水システムによれば、ノズル部から噴射されてディフューザ部に流入する排水によってノズル部の周囲からディフューザ部の内側に船舶の周囲の水が吸引されて、排水と水とが効果的に混合される。当該ディフューザ部内部に吸引される水は船外水中から取り込まれ、これによって船外での混合が促進されるものである。従って上記（２）乃至（５）に記載した希釈水を低減或いは不要とする事ができ、希釈水のポンプの揚水動力を低減できる。当該エゼクタノズルを用いる事で少ない希釈水或いは希釈水を使う事なく船舶から排出される脱硫装置の排水のｐＨを速やかに適正化（船舶から所定距離離れた地点のｐＨ規制値を満足）することができる。
【００２５】
（１０）幾つかの実施形態では、上記（１）乃至（９）の何れかに記載の船舶用脱硫装置の排水システムにおいて、前記排水ラインはヘッダを含み、前記ヘッダには、複数の前記排水ノズルが設けられる。
【００２６】
上記（１０）に記載の船舶用脱硫装置の排水システムによれば、ヘッダに設けた複数の排水ノズルを用いて排水と周囲の水とを混合することにより、船舶から排出される脱硫装置の排水のｐＨを速やかに適正値に到達させることができる。
【発明の効果】
【００２７】
本発明の少なくとも一つの実施形態によれば、簡素な構成を有し船舶から排出された脱硫装置の排水のｐＨを速やかに適正値に到達させることができる船舶用脱硫装置の排水システムが提供される。
【図面の簡単な説明】
【００２８】
【図１】一実施形態に係る脱硫装置６の排水システム７（７Ａ）の概略構成を示す断面図である。
【図２】図１に示す排水ノズル１２の拡大図である。
【図３】一実施形態に係る脱硫装置６の排水システム７（７Ｂ）の概略構成を示す断面図である。
【図４】一実施形態に係る脱硫装置６の排水システム７（７Ｃ）の概略構成を示す断面図である。
【発明を実施するための形態】
【００２９】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３０】
図１は、一実施形態に係る船舶２の概略的な断面図である。
図１に示すように、船舶２は、船体４及び脱硫装置６（船舶用脱硫装置）を備える。
【００３１】
脱硫装置６は、船体４に搭載される不図示の排ガス発生装置から排出される排ガスを脱硫するように構成されており、脱硫装置６の脱硫処理によって生じた排水を船舶２の外部に排出するための排水システム７（７Ａ）を備えている。なお、上記排ガス発生装置は、Ｃ重油、又はＣ重油との混合油を燃料とする主機関（例えば、ディーゼルエンジン、ガスタービンエンジン又は蒸気タービンエンジン等）や、複数の発電機関、舶用ボイラ等である。
【００３２】
脱硫装置６の排水システム７は、脱硫塔８及び排水ライン１０を含む。
脱硫塔８は、船体４の甲板５上に設置されている。脱硫塔８は、内部に導入される排ガスに洗浄液（例えば海水、アルカリ剤等）を噴霧することで、排ガスと洗浄液とを気液接触させる気液接触部１６、及び、気液接触部１６よりも下方に位置し、気液接触部１６で排ガス中の硫黄分を吸収した洗浄液が貯留される液だまり部１８、を内部に画定するように構成されている。アルカリ剤としては、例えばＮａＯＨ、Ｃａ（ＯＨ）２、ＮａＨＣＯ３、Ｎａ２ＣＯ３などが挙げられ、高濃度に減容化されたアルカリを用いることが好ましい。
【００３３】
排水ライン１０は、流入口２０及び排水ノズル１２を含む。流入口２０は、船舶２の喫水線Ｌよりも上方に位置し、且つ、液だまり部１８に貯留される液体が排水Ｗ１として流入するように構成されている。図示する形態では、液だまり部１８の液位（液面高さ）が、喫水線Ｌよりも上方に位置する堰部１９（排水ライン１０における後述する落差管３４の上端部）の高さを上回った際、液だまり部１８に貯留される液体が堰部１９をオーバーフローすることで、排水Ｗ１として流入口２０に流入するように構成されている。
【００３４】
排水ノズル１２は、喫水線Ｌよりも下方に位置し、且つ、流入口２０から流入した排水Ｗ１を船舶２の外部に排出するよう構成されている。また、排水ライン１０は、排水ライン１０の内部における喫水線Ｌより上方の位置Ｐ１まで排水Ｗ１が溜まった状態において、排水ライン１０の内部における排水Ｗ１の液面位置Ｐ１から排水ノズル１２に亘って設けられた大気開放されていない区間Ｓ（配管）を含む。すなわち、排水ライン１０は、区間Ｓにおいて排水処理タンク等の大気開放された設備に接続されていない。
【００３５】
かかる構成によれば、排水ライン１０に溜まった排水Ｗ１の液面位置Ｐ１と喫水線Ｌの高さ位置Ｐ０との高低差及び重力を利用して、排水ライン１０における排水Ｗ１の水頭圧によって排水Ｗ１を排水ノズル１２に供給することができる。これにより、排水ノズル１２から排出される排水Ｗ１と船舶の周囲の水Ｗ０（例えば海水、湖水又は河川水等）とを効果的に混合することができる。したがって、排水システム７の構成を簡素化しつつ、船舶２から排出される脱硫装置６の排水Ｗ１のｐＨを速やかに適正値に到達させることができる。すなわち、排水システム７の構成を簡素化しつつ、船舶２から所定距離離れた地点のｐＨ規制値を満足することができる。
【００３６】
幾つかの実施形態では、例えば図１に示すように、排水ライン１０は、一端部および他端部の間に落差を有する落差管３４と、落差管３４から分岐するとともに鉛直方向と交差する方向に沿って延在する複数の枝管３６と、を含む。上述の流入口２０は落差管３４の上端に設けられており、上述の排水ノズル１２は枝管３６の末端に設けられている。図示する例示的形態では、落差管３４は鉛直方向に沿って延設されており、複数の枝管３６は、落差管３４の下端から分岐して水平方向に沿って延在する２本の水平管からなる。また、枝管３６の各々はヘッダ３７を含み、ヘッダ３７には複数の排水ノズル１２が設けられている。
【００３７】
ヘッダ３７に設けた複数の排水ノズル１２を用いて排水Ｗ１と周囲の水Ｗ０とを混合することにより、船舶２から排出される脱硫装置６の排水Ｗ１のｐＨを速やかに適正値（船舶から所定距離離れた地点のｐＨ規制値）に到達させることができる。また、共通の流入口２０から流入した排水Ｗ１を複数の排水ノズル１２に供給することができるため、複数の流入口２０を設ける場合と比較して、排水システム７の構成を簡素化することができる。
【００３８】
幾つかの実施形態では、例えば図１に示すように、排水システム７は、排水ライン１０に希釈水を供給するための希釈水供給装置１４を含む。希釈水供給装置１４は、排水ライン１０と接続する希釈水ライン２４と、希釈水ライン２４を流れる希釈水を排水ラインに供給するための希釈水ポンプ２６と、を含む。図示する例示的形態では、希釈水ライン２４は、排水ライン１０のうち落差管３４に接続している。
【００３９】
かかる構成によれば、排水ライン１０の水頭圧が低い場合（脱硫塔８から流入口２０に流入する排水Ｗ１の流量が少く、排水ライン１０内の排水Ｗ１の液面位置Ｐ１が低くなりすぎる場合）や、脱硫塔８から流入口２０に流入する排水Ｗ１のｐＨが極端に低い場合等に、希釈水ライン２４から排水ライン１０に希釈水を供給して排水ライン１０の排水Ｗ１を希釈し、船舶２から排出される脱硫装置６の排水Ｗ１のｐＨを適正化することができる。
【００４０】
幾つかの実施形態では、例えば図１に示すように、排水システム７は、排水ライン１０における排水の液面位置Ｐ１を測定するための液面計としての圧力計２８と、希釈水供給装置１４から排水ライン１０に供給される希釈水の流量を調整する調整弁３０（電動弁）と、圧力計２８で測定された排水Ｗ１の液面位置Ｐ１に基づいて、希釈水ポンプ２６の出力と調整弁３０の開度うち少なくとも一方（希釈水調整手段）を制御する希釈水量調整コントローラ３２と、を含む。図示する例示的形態では、圧力計２８は、落差管３４における希釈水ライン２４との接続位置より下流側、且つ後述のラインミキサー３８より上流の位置にて排水ライン１０における排水Ｗ１の圧力を計測することで液面位置Ｐ１を測定するように構成されている。但しラインミキサー設置構成は一例であり、当該ラインミキサーを設置せずとも排水ライン内での混合性が保たれる事が判っている場合には、当該ラインミキサーの設置は必須ではない。
【００４１】
かかる構成によれば、圧力計２８によって測定された排水ライン１０における排水Ｗ１の液面位置Ｐ１を一定範囲内に維持するように希釈水供給装置１４から排水ライン１０に供給される希釈水の流量を制御することができる。これにより、排水ライン１０の落差管３４における排水Ｗ１の水頭圧の不足を抑制して、排水ノズル１２の混合性能の低下を抑制し、船舶２から排出される脱硫装置６の排水Ｗ１のｐＨを速やかに適正値（船舶２から所定距離離れた地点のｐＨ規制値）に到達させることができる。また、排水ノズル１２から排出される排水Ｗ１のｐＨを適正化するために使用する希釈水の過不足を抑制することができるため、希釈水ポンプ２６の動力の増大を抑制しつつ排水ノズル１２から排出される排水Ｗ１のｐＨを適正化することができる。
【００４２】
幾つかの実施形態では、例えば図１に示すように、排水ライン１０には、希釈水ライン２４との接続箇所Ｐ２よりも下流側に、流入口２０から流入した排水Ｗ１と希釈水との混合を促進するための混合促進部としてのラインミキサー３８が設けられる。図示する例示的形態では、ラインミキサー３８は、落差管３４における希釈水ライン２４との接続箇所Ｐ３よりも下流側であって枝管３６の分岐位置Ｐ３よりも上流側の位置に設けられる。
【００４３】
かかる構成によれば、排水ライン１０における流入口２０から流入した排水Ｗ１と希釈水ライン２４から供給された希釈水との混合をラインミキサー３８によって促進し、船舶２から排出される脱硫装置６の排水Ｗ１のｐＨを速やかに適正値（船舶から所定距離離れた地点のｐＨ規制値）に到達させることができる。
【００４４】
幾つかの実施形態では、例えば図１に示すように、枝管３６の各々におけるヘッダ３７よりも上流側にアイソレートバルブ３９が設けられている。かかる構成によれば、アイソレートバルブ３９を閉じて排水ライン１０の排水Ｗ１を除去することにより、ヘッダ３７や排水ノズル１２のメンテナンスを容易に行うことができる。例えば，貝等の海洋生物やゴミなどが排水ノズルに固着したり物理的に排水ノズルが損傷し排水運転を阻害する場合には前記のアイソレートバルブを閉じる事で清掃，メンテナンスが可能となる。
【００４５】
図２は、図１に示す排水ノズル１２の拡大図である。幾つかの実施形態では、例えば図２に示すように、排水ノズル１２は、排水Ｗ１を噴射するノズル部４０と、ノズル部４０から噴射された排水Ｗ１とノズル部４０の周囲から吸引された水Ｗ０とを混合して排出する筒状のディフューザ部４２と、を含むエゼクタノズルからなる。図示する例示的形態では、排水ノズル１２は、船体４の側面に形成された凹形状のシーチェスト４４の内側に設けられ、シーチェスト４４内の水Ｗ０がノズル部４０の周囲からディフューザ部４２の内側に吸引される。
【００４６】
かかる構成によれば、ノズル部４０から噴射されてディフューザ部４２に流入する排水Ｗ１によってノズル部４０の周囲からディフューザ部４２の内側にシーチェスト４４内の水Ｗ０が吸引されて、排水Ｗ１と水Ｗ０とが効果的に混合される。このため、船舶２から排出される脱硫装置６の排水Ｗ１のｐＨを速やかに適正値（船舶２から所定距離離れた地点のｐＨ規制値）に到達させることができる。
【００４７】
幾つかの実施形態では、例えば図１に示すように、排水ノズル１２の性能を監視するための圧力計４６を備える。図示する例示的形態では、圧力計４６は枝管３６におけるヘッダ３７とアイソレートバルブ３９との間の位置にて排水Ｗ１の圧力を計測するよう構成されている。また、希釈水量調整コントローラ３２は、圧力計４６の計測結果に基づいて排水ノズル１２の性能が不足していると判断した場合に、希釈水ポンプ２６の出力と調整弁３０の開度のうち少なくとも一方を制御するよう構成されている。
【００４８】
かかる構成によれば、圧力計４６の計測結果に基づく排水ノズル１２の性能に応じて希釈水供給装置１４から排水ライン１０に供給される希釈水の流量を適切に制御することができる。これにより、船舶２から排出される脱硫装置６の排水Ｗ１のｐＨを速やかに適正値（船舶２から所定距離離れた地点のｐＨ規制値）に到達させることができる。
【００４９】
図３は、一実施形態に係る脱硫装置６の排水システム７（７Ｂ）の概略構成を示す断面図である。以下では、脱硫装置６の排水システム７（７Ｂ）のうち、上述の排水システム７（７Ａ）の各構成と同様の構成については同一の符号を付して説明を省略し、排水システム７（７Ｂ）の特徴的な構成を中心に説明する。
【００５０】
幾つかの実施形態では、例えば図３に示すように、脱硫装置６の排水システム７（７Ｂ）は、排水ライン１０における喫水線Ｌよりも上方の位置Ｐ４と、船舶２の外部とを接続する溢流管４８（緊急排水機構）を備える。図示する形態では、溢流管４８の一端は、排水ライン１０と希釈水ライン２４との接続位置Ｐ２より上方にて落差管３４に接続し、溢流管４８の他端は、船舶２の側面における喫水線Ｌより下方の位置にて船舶２の外部とを接続する。また、溢流管４８には手動弁５０が設けられている。
【００５１】
かかる構成によれば、脱硫塔８からの排水流量が増加し、排水ライン１０の内部における排水Ｗ１の液面位置Ｐ１が上昇しても溢流管４８から船舶２の外部に排水Ｗ１を排出することができるため、排水ライン１０から脱硫塔８への排水Ｗ１の逆流を抑制することができる。
【００５２】
幾つかの実施形態では、例えば図３に示すように、排水ライン１０には、溢流管４８が接続された位置Ｐ４よりも上方に逆止弁５２が設けられている。
【００５３】
かかる構成によれば、排水量が少ない状態で希釈水ポンプ２６を稼働中に、脱硫塔８からの排水量が急増し、排水ライン１０の内部における排水Ｗ１の液面位置Ｐ１が上昇しても、脱硫塔８への排水Ｗ１の逆流を逆止弁５２によって抑制しつつ排水Ｗ１を溢流管４８に流して船舶２の外部に排出することができる。
【００５４】
図４は、一実施形態に係る脱硫装置６の排水システム７（７Ｃ）の概略構成を示す断面図である。以下では、脱硫装置６の排水システム７（７Ｃ）のうち、上述の排水システム７（７Ａ，７Ｂ）の各構成と同様の構成については同一の符号を付して説明を省略し、排水システム７（７Ｃ）の特徴的な構成を中心に説明する。
【００５５】
幾つかの実施形態では、例えば図４に示すように、排水システム７（７Ｃ）は、排水ライン１０の内部における排水Ｗ１のｐＨを測定するためのｐＨ計５４を備える。また、希釈水量調整コントローラ３２は、ｐＨ計５４で測定された液体のｐＨに基づいて、希釈水ポンプ２６の出力と調整弁３０の開度うち少なくとも一方（希釈水調整手段）を制御するように構成されている。ｐＨ計５４は、排水ライン１０におけるラインミキサー３８より下流側に設けることが好ましく、図示する例示的形態では、枝管３６におけるヘッダ３７とアイソレートバルブ３９との間の位置にて排水Ｗ１のｐＨを測定するように構成されている。
【００５６】
かかる構成によれば、希釈水供給装置１４によって排水ライン１０に供給する希釈水の量をｐＨ計５４によって測定した排水ライン１０の排水Ｗ１のｐＨに基づいて制御することができる。このため、排水ノズル１２から排出される排水Ｗ１のｐＨを適正化するために使用する希釈水の過不足を抑制することができる。したがって、希釈水ポンプ２６の動力の増大を抑制しつつ排水ノズル１２から排出される排水Ｗ１のｐＨを適正化することができる。
【００５７】
本発明は上述した実施形態に限定されることはなく、上述した実施形態に変形を加えた形態や、これらの形態を適宜組み合わせた形態も含む。
【００５８】
例えば、上述した幾つかの実施形態では、排水ライン１０の内部における排水Ｗ１の液面位置Ｐ１を測定するための液面計として、圧力計２８を用いる例を示したが、液面計は、水圧方式に限らず、超音波式、電波式、フロート式、光学式などの既知の方式の液面計を使用することができる。
【００５９】
また、上述した幾つかの実施形態では、鉛直方向に沿った落差管３４と落差管３４の下端から水平方向に沿って延在する２本の枝管３６とを排水ライン１０が含む形態を例示したが、排水ライン１０の配管構成はこれに限らず、例えば鉛直方向及び水平方向の各々と交差する斜め方向に沿って延在する配管を排水ライン１０が含んでいてもよい。
【符号の説明】
【００６０】
２  船舶
４  船体
５  甲板
６  脱硫装置
７（７Ａ〜７Ｃ）  排水システム
８  脱硫塔
１０  排水ライン
１２  排水ノズル
１４  希釈水供給装置
１６  気液接触部
１８  液だまり部
１９  堰部
２０  流入口
２４  希釈水ライン
２６  希釈水ポンプ
２８，４６  圧力計
３０  調整弁
３２  希釈水量調整コントローラ
３４  落差管
３６  枝管
３７  ヘッダ
３８  ラインミキサー
３９  アイソレートバルブ
４０  ノズル部
４２  ディフューザ部
４４  シーチェスト
４８  溢流管
５０  手動弁
５２  逆止弁
５４  ｐＨ計
５６  右舷
５８  左舷
【図１】
2018161611.tif 000003
【図２】
2018161611.tif 000004
【図３】
2018161611.tif 000005
【図４】
2018161611.tif 000006